(57)【要約】      （修正有）【課題】ＡＦ処理後に画角を変えて撮影した場合でも、ＡＦ処理によって合焦した部分を正しく拡大表示する。【解決手段】位置検出手段により複数の被写体位置が検出されたときに撮像画像の一部領域を表示する場合、抽出手段により抽出された画像記録のための撮像処理前後の被写体情報に基づいて前記位置検出手段により検出された複数の被写体位置から表示する撮像画像の一部領域を選択することを特徴とし、ＡＦ処理時に合焦した部分の特徴量を記憶しておき、再生する画像データの内記憶した特徴量と一致すると判断できる特徴量を有する領域を拡大表示する。【選択図】図６
2008160427.tif 000002
【特許請求の範囲】
【請求項１】
撮像画像の表示を制御する表示制御装置であって、
撮像画像における被写体位置を検出する位置検出手段と、
画像記録のための撮像処理前後において撮像画像の被写体情報を抽出する抽出手段と、
前記位置検出手段により検出された被写体位置に対応する撮像画像の一部領域を表示するよう制御する制御手段とを有し、
前記制御手段は、前記位置検出手段により複数の被写体位置が検出されたときに撮像画像の一部領域を表示する場合、前記抽出手段により抽出された画像記録のための撮像処理前後の被写体情報に基づいて前記位置検出手段により検出された複数の被写体位置から表示する撮像画像の一部領域を選択することを特徴とする表示制御装置。
【請求項２】
撮像画像の表示を制御する表示制御装置であって、
撮像画像における被写体位置を検出する位置検出手段と、
画像記録のための撮像処理前後において撮像装置の状態情報を抽出する抽出手段と、
前記位置検出手段により検出された被写体位置に対応する撮像画像の一部領域を表示するよう制御する制御手段とを有し、
前記制御手段は、前記位置検出手段により複数の被写体位置が検出されたときに撮像画像の一部領域を表示する場合、前記抽出手段により抽出された画像記録のための撮像処理前後の撮像装置の状態情報に基づいて前記位置検出手段により検出された複数の被写体位置から表示する撮像画像の一部領域を選択することを特徴とする表示制御装置。
【請求項３】
撮像装置の状態情報に基づき前記被写体情報を処理する変換手段とを有し、
前記制御手段は、前記変換手段により処理した後の被写体情報に基づいて前記位置検出手段により検出された複数の被写体位置から表示する撮像画像の一部領域を選択することを特徴とする請求項１に記載の表示制御装置。
【請求項４】
前記撮像装置の状態情報は、ズーム状態に関する情報を含むことを特徴とする請求項２または３に記載の表示制御装置。
【請求項５】
前記撮像装置の状態情報は、撮像装置の移動量、或いは回転角度を含むことを特徴とする請求項２乃至４のいずれか１項に記載の表示制御装置。
【請求項６】
前記被写体位置は、撮像画像における被写体の顔の位置であることを特徴とする請求項１乃至５のいずれか１項に記載の表示制御装置。
【請求項７】
前記制御手段は、記録のための撮像の前後で対応する被写体位置が存在しない場合、警告表示を行うことを特徴とする請求項１乃至６のいずれか１項に記載の表示制御装置。
【請求項８】
請求項１乃至７のいずれか１項に記載の表示制御装置により表示する画像信号を取得する撮像素子を有することを特徴とする撮像装置。
【請求項９】
撮像画像の表示を制御する表示制御装置の制御方法であって、
撮像画像における被写体位置を検出する位置検出ステップと、
画像記録のための撮像処理前後において撮像画像の被写体情報を抽出する抽出ステップと、
前記位置検出ステップにおいて検出された被写体位置に対応する撮像画像の一部領域を表示するよう制御する制御ステップとを有し、
前記制御ステップでは、前記位置検出ステップにおいて複数の被写体位置が検出されたときに撮像画像の一部領域を表示する場合、前記抽出ステップにおいて抽出された画像記録のための撮像処理前後の被写体情報に基づいて前記位置検出ステップにおいて検出された複数の被写体位置から表示する撮像画像の一部領域を選択することを特徴とする制御方法。
【請求項１０】
撮像画像の表示を制御する表示制御装置の制御方法であって、
撮像画像における被写体位置を検出する位置検出ステップと、
画像記録のための撮像処理前後において撮像装置の状態情報を抽出する抽出ステップと、
前記位置検出ステップにおいて検出された被写体位置に対応する撮像画像の一部領域を表示するよう制御する制御ステップとを有し、
前記制御ステップでは、前記位置検出ステップにおいて複数の被写体位置が検出されたときに撮像画像の一部領域を表示する場合、前記抽出ステップにおいて抽出された画像記録のための撮像処理前後の撮像装置の状態情報に基づいて前記位置検出ステップにおいて検出された複数の被写体位置から表示する撮像画像の一部領域を選択することを特徴とする制御方法。
【発明の詳細な説明】
【技術分野】
【０００１】
本発明は、撮影した画像を拡大表示可能な画像表示制御装置及び撮像装置に関するものである。
【背景技術】
【０００２】
従来から撮像装置により撮影した画像が合焦しているか否かのフォーカス状態を確認するための表示技術が開示されている。例えば、特許文献１のデジタルカメラは、撮影前に指定した合焦位置を含むエリアを撮影画素数に応じた倍率で拡大表示する。
【特許文献１】特許第３５３４１０１号
【発明の開示】
【発明が解決しようとする課題】
【０００３】
上述のように撮像画像の合焦状態を確認するために撮像画像の一部領域を表示する。当該表示する一部領域は、撮影者としてのユーザが合焦を所望する領域を指定したとき、または撮像装置が自動でユーザが合焦を所望しているであろう領域を指定したときの領域である。したがって、そうした指定領域において合焦するよう撮像装置の光学系の焦点が調節されることになる。しかしながら、このように合焦を所望する領域の指定を行い、その領域に対応する被写体に焦点を合わせたタイミングから実際に記録のための撮像としての撮影が行われるタイミングまでの間にはタイムラグがある。このタイムラグの間に焦点を維持した状態でユーザが画角を変えた場合には当該焦点を合わせた被写体に対応する領域とは異なる領域が一部領域として表示されることになる。これは、例えば、上述したタイムラグの間に焦点を維持した状態でユーザが撮影の構図を変えた場合にも同様である。
【０００４】
こうした場合、表示された一部領域が焦点を合わせた被写体に対応する領域でないことが多く、ユーザは合焦状態の確認をしづらいという課題があった。
【課題を解決するための手段】
【０００５】
本発明は、前述した問題点を解決するためになされたもので、撮像画像の表示を制御する技術思想であって、撮像画像における被写体位置を検出する位置検出手段と、画像記録のための撮像処理前後において撮像画像の被写体情報を抽出する抽出手段と、前記位置検出手段により検出された被写体位置に対応する撮像画像の一部領域を表示するよう制御する制御手段とを有し、前記制御手段は、前記位置検出手段により複数の被写体位置が検出されたときに撮像画像の一部領域を表示する場合、前記抽出手段により抽出された画像記録のための撮像処理前後の被写体情報に基づいて前記位置検出手段により検出された複数の被写体位置から表示する撮像画像の一部領域を選択する。
【０００６】
また、別の技術思想として、撮像画像の表示を制御する技術思想であって、撮像画像における被写体位置を検出する位置検出手段と、
画像記録のための撮像処理前後において撮像装置の状態情報を抽出する抽出手段と、前記位置検出手段により検出された被写体位置に対応する撮像画像の一部領域を表示するよう制御する制御手段とを有し、前記制御手段は、前記位置検出手段により複数の被写体位置が検出されたときに撮像画像の一部領域を表示する場合、前記抽出手段により抽出された画像記録のための撮像処理前後の撮像装置の状態情報に基づいて前記位置検出手段により検出された複数の被写体位置から表示する撮像画像の一部領域を選択する。
【発明の効果】
【０００７】
本発明によれば、焦点を合わせた被写体に対応する領域を一部領域として合焦状態の確認のための表示を行うようにすることによって、記録しようとする、或いは記録した画像の合焦状態の確認を従来に比べて画期的に行い易い。
【発明を実施するための最良の形態】
【０００８】
（実施例１）
本発明の特徴をよく表す実施例の撮像装置としてのカメラの構成を図に示し詳しく説明する。図１は、本発明の実施例の構成を示す図である。図１において、１００はカメラやビデオカメラ等の撮像装置である。１０は撮影レンズ、１２は絞り機能を備えるシャッターである。
【０００９】
１４は光学像を電気信号に変換するＣＣＤやＣＭＯＳ等の撮像素子、１６は撮像素子１４のアナログ信号出力をディジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１０】
２０は画像処理回路であり、Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行う。そして、得られた演算結果に基づいてシステム制御回路５０が露光制御手段４０、フォーカス制御手段４２に対して制御を行う。また、ＴＴＬ（スルー・ザ・レンズ）方式のＡＦ（オートフォーカス）処理、ＡＥ（自動露出）処理、ＥＦ（フラッシュプリ発光）処理を行っている。
【００１１】
さらに、画像処理回路２０においては、撮像した画像データを用いて所定の演算処理を行い、得られた演算結果に基づいてＴＴＬ（スルー・ザ・レンズ）方式のＡＷＢ（オートホワイトバランス）処理も行っている。その他、Ａ／Ｄ変換器１６及びメモリ制御回路２２からの入力データに対して被写体位置の検出処理としての顔検出処理を行う。また、検出された顔の個数、検出された各顔の大きさ、位置、目の位置等の情報の抽出も行う。
【００１２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１３】
２４は画像表示メモリ、２６はＤ／Ａ変換器、２８はＴＦＴ  ＬＣＤなどから成る画像表示部である。画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。また、画像表示部２８は、システム制御回路５０の指示により任意に表示をＯＮ／ＯＦＦすることが可能であり、表示をＯＦＦにした場合には撮像装置１００の電力消費を大幅に低減することが出来る。
【００１４】
３０は撮影した静止画像や動画像を格納するためのメモリである。メモリ３０は、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００１５】
３２は適応離散コサイン変換（ＡＤＣＴ）等により画像データを圧縮伸長する圧縮・伸長回路である。圧縮・伸長回路３２は、メモリ３０に格納された画像を読み込んで圧縮処理或いは伸長処理を行い、処理を終えたデータをメモリ３０に書き込む。
【００１６】
４０は絞り機能を備えるシャッター１２を制御する露光制御手段であり、フラッシュ４８と連携することによりフラッシュ調光機能も有するものである。４２は撮影レンズ１０の焦点位置を制御するフォーカス制御手段、４４は撮影レンズ１０のズーミングを制御するズーム制御手段、４６はバリアである保護手段１０２の動作を制御するバリア制御手段である。
【００１７】
４８はフラッシュであり、ＡＦ補助光の投光機能、フラッシュ調光機能も有する。
【００１８】
露光制御手段４０、フォーカス制御手段４２はＴＴＬ方式を用いて制御されており、撮像した画像データを画像処理回路２０によって演算した演算結果に基づき、システム制御回路５０が露光制御手段４０、フォーカス制御手段４２に対して制御を行う。
【００１９】
５０は撮像装置１００全体を制御するシステム制御回路、５２はシステム制御回路５０の動作用の定数、変数、プログラム等を記憶するメモリである。
【００２０】
５４はシステム制御回路５０でのプログラムの実行に応じて、文字、画像、音声等を用いて動作状態やメッセージ等を表示する液晶表示装置、スピーカー等の表示部である。表示部５４は、撮像装置１００の操作部近辺の視認し易い位置に単数或いは複数個所設置され、例えばＬＣＤやＬＥＤ、発音素子等の組み合わせにより構成されている。また、表示部５４は、その一部の機能が光学ファインダー１０４内に設置されている。また、表示部５４の表示内容のうち、光学ファインダー１０４内に表示するものとしては、例えば、合焦表示、撮影準備完了表示、手振れ警告表示、記録媒体書き込み動作表示等がある。さらに、表示部５４の表示内容のうち、ＬＥＤなどに表示するものとしては、例えば、合焦表示、撮影準備完了表示、手振れ警告表示、記録媒体書き込み動作表示等がある。
【００２１】
５６は電気的に消去・記録可能な不揮発性メモリであり、例えばＥＥＰＲＯＭなどが用いられる。
【００２２】
６０、６２、６４、６６及び７０は、システム制御回路５０の各種の動作指示を入力するための操作手段である。操作手段５６は、スイッチやダイアル、タッチパネル、視線検知によるポインティング、音声認識装置等の単数或いは複数の組み合わせで構成される。
【００２３】
ここで、これらの操作手段の具体的な説明を行う。６０はモードダイアルスイッチで、各機能撮影モードを切り替え設定することができる。
【００２４】
６２はシャッタースイッチＳＷ１である。シャッタースイッチＳＷ１は、不図示のシャッターボタンの操作途中でＯＮとなる。ＯＮ状態になると、ＡＦ処理、ＡＥ処理、ＡＷＢ処理、ＥＦ処理等の動作開始を指示する。
【００２５】
６４はシャッタースイッチＳＷ２である。シャッタースイッチＳＷ２は、不図示のシャッターボタンの操作完了でＯＮとなる。ＯＮ状態となると、撮像素子１４から読み出した信号をＡ／Ｄ変換器１６、メモリ制御回路２２を介してメモリ３０に画像データを書き込む露光処理が行われる。また、画像処理回路２０やメモリ制御回路２２での演算を用いた現像処理、メモリ３０から画像データを読み出し、圧縮・伸長回路３２で圧縮を行う。圧縮された信号は、記録媒体２００或いは２１０に画像データを書き込まれる。このような記録処理という一連の処理の動作開始を指示するのがシャッタースイッチＳＷ２である。
【００２６】
６６は再生モードスイッチで、再生モード、マルチ画面再生・消去モード、ＰＣ接続モード等の各機能モードを設定することが出来る。
【００２７】
６８は姿勢モードスイッチである。姿勢モードスイッチ６８は、カメラ姿勢検知手段１０６により、撮像装置１００の姿勢を検知するトリガーとなる。撮像の際に検知したカメラの姿勢を撮像した画像とともに画像姿勢フラグとして記録媒体に記録される。再生時には読み出した画像姿勢フラグに応じて画像の表示方法を切り替える動作を行う姿勢モードのＯＮ／ＯＦＦを設定する。
【００２８】
７０は各種ボタンやタッチパネル等からなる操作部である。操作部７０は、各種機能の選択及び切り替えを設定する選択／切り替えボタンがある。また、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ等がある。
【００２９】
７２は電源スイッチで、電源オン、電源オフの各モードを切り替え設定することが出来る。８０は電源制御手段である。８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００３０】
９０及び９４はメモリカードやハードディスク等の記録媒体とのインタフェースである。インターフェース９０及び９４は、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００３１】
さらに、インタフェース９０及び９４、そしてコネクタ９２及び９６をＰＣＭＣＩＡカードやＣＦ（コンパクトフラッシュ（登録商標））カード等の規格に準拠している。したがって、各種通信カードを接続することにより、他のコンピュータやプリンタ等の周辺機器との間で画像データや画像データに付属した管理情報を転送し合うことができる。各種通信カードとは、ＬＡＮカードやモデムカード、ＵＳＢカード、ＩＥＥＥ１３９４カード、Ｐ１２８４カード、ＳＣＳＩカード、ＰＨＳなどの通信カード等である。
【００３２】
１０４は光学ファインダである。
【００３３】
１０６はカメラ姿勢検知手段であり、撮像装置１００の姿勢状態を検出することにより、横位置撮影或いは縦位置撮影のいずれの状態かを検知することが出来る。
【００３４】
１０８は加速度、角速度の検知手段であり、積分出力を用いることにより、撮像装置１００の移動量及び回転角度を求めることが出来る。
【００３５】
１１０は通信手段で、各種通信機能を有する。例えば、ＲＳに３２ＣやＵＳＢ、ＩＥＥＥ１３９４、Ｐ１２８４、ＳＣＳＩ、モデム、ＬＡＮ、無線通信である。
【００３６】
１１２は通信手段１１０により撮像装置１００を他の機器と接続するコネクタ或いは無線通信の場合はアンテナである。
【００３７】
２００はメモリカードやハードディスク等の記録媒体である。記録媒体２１０は、半導体メモリや磁気ディスク等から構成される記録部２１２、撮像装置１００とのインタフェース２１４、撮像装置１００と接続を行うコネクタ２１６を備えている。
【００３８】
図２乃至図６を参照して、本発明の第１の実施例の動作を説明する。
【００３９】
図２及び図３は第１の実施例の撮像装置１００の主ルーチンのフローチャートを示す。
【００４０】
図２及び図３を用いて、撮像装置１００の動作を説明する。
【００４１】
まず、電池交換等の電源投入により、システム制御回路５０はフラグや制御変数等を初期化し（Ｓ１０１）、画像表示部２８の画像表示をＯＦＦ状態に初期設定する（Ｓ１０２）。システム制御回路５０は、電源スイッチ６６の設定位置を判断し、電源スイッチ６６が電源ＯＦＦに設定されていたならば（Ｓ１０３）、各表示部の表示を終了状態に変更する。電源制御手段８０により画像表示部２８を含む撮像装置１００各部の不要な電源を遮断する等の所定の終了処理を行った後（Ｓ１０４）、Ｓ１０３に戻る。
【００４２】
一方、電源スイッチ６６が電源ＯＮに設定されていたならば（Ｓ１０３）、システム制御回路５０はモードダイアル６０の設定位置を判断する。モードダイアル６０が撮影モードに設定されていたならば（Ｓ１０５）、Ｓ１０７に進む。モードダイアル６０が再生モードに設定されていたならば（Ｓ１０５）、画像再生処理を実行し（Ｓ１０６）、処理を終えたならばＳ１０３に戻る。この画像再生処理Ｓ１０６の詳細は図４を用いて後述する。
【００４３】
システム制御回路５０は、電源制御手段８０により電源８６の残容量や動作情況が撮像装置１００の動作、記録媒体２００或いは２１０に問題があるか否かを判断する（Ｓ１０７、Ｓ１０８）。問題があるならば表示部５４を用いて画像や音声により所定の警告表示を行った後に（Ｓ１０９）、Ｓ１０３に戻る。
【００４４】
システム制御回路５０は操作部７０によって顔検出設定がされたか否かを判断し、顔検出ＯＮ／ＯＦＦの状態を更新する（Ｓ１１０）。顔検出のＯＮ／ＯＦＦ設定は、操作部７０に含まれる顔ボタンにて切り換え、もしくは、カメラ設定メニューにて切り換えを行うことが可能である。顔検出の設定状態を更新したらＳ１１１に進む。
【００４５】
システム制御回路５０は操作部７０等によってＡＦロック（以下ＡＦＬ）解除に相当する操作がなされたかを判断し（Ｓ１１１）、ＡＦＬ解除操作がされていなければＳ１１３に進む。ＡＦＬ解除操作がなされている場合は（Ｓ１１１）、システム制御回路５０の内部メモリ或いはメモリ５２に記憶されるＡＦＬフラグをＯＦＦし（Ｓ１１２）、Ｓ１１３に進む。
【００４６】
システム制御回路５０は表示部５４を用いて画像や音声により撮像装置１００の各種設定状態の表示を行う（Ｓ１１３）。ライブ画像の表示を行う場合は、顔検出処理（Ｓ１２５）によって顔が検出されていれば対応する位置に枠（以下顔枠）を表示する。
【００４７】
システム制御回路５０は、顔検出がＯＮになっているか否かを判断し（Ｓ１２４）、顔検出がＯＦＦになっていたら（Ｓ１２４）、Ｓ１２７に進む。顔検出ＯＮ／ＯＦＦの設定はＳ１１０で行ったものである。顔検出がＯＮになっていたならば（Ｓ１２４）、顔検出処理を行う（Ｓ１２５）。被写体位置の検出利としての顔検出処理はＡ／Ｄ変換器１６及びメモリ制御回路２２からの入力データに対して画像処理部２０が行う。顔検出処理を終えたならば（Ｓ１２５）、Ｓ１２６に進む。
【００４８】
システム制御回路５０は、Ｓ１２５にて抽出した各顔の特徴量を被写体情報としてシステム制御回路５０の内部メモリ或いはメモリ５２に記憶する（Ｓ１２６）。抽出、記憶する特徴量としては、被写体としての顔の撮像画像における位置がある。その他、撮像画像における顔の大きさ目の位置等である。また、これらの情報を用いて、被写体としての顔に対する目の相対位置や、目の間の距離などを特徴量として利用することもできる。
【００４９】
シャッタースイッチＳＷ１が押されていないならば（Ｓ１２７）、Ｓ１０３に戻る。シャッタースイッチＳＷ１が押されたならば（Ｓ１２７）、Ｓ１２８に進む。
【００５０】
システム制御回路５０は、測光処理を行って絞り値及びシャッター時間を決定する（Ｓ１２８）。測光処理に於いて、必要であればフラッシュの設定も行う。また、ホワイトバランス処理も併せて行う。
【００５１】
ＡＥ／ＡＷＢ処理Ｓ１２８を終えたら、システム制御回路５０はシステム制御回路５０の内部メモリ或いはメモリ５２に記憶されるＡＦＬフラグの状態を判断する（Ｓ１２９）。ＡＦＬフラグが設定されていれば画像記録のための撮像処理の指示としてのＳ１３７に進む。ＡＦＬフラグが設定されていなければ（Ｓ１２９）、システム制御回路５０はシステム制御回路５０或いは内部メモリ５２に記憶される最新の顔検出結果を参照し、顔が検出されていれば（Ｓ１３０）、Ｓ１３１に進む。
【００５２】
システム制御回路５０は、検出された顔の領域に対応する部分をフォーカスエリアとして指定する。ＡＦ動作を行い（Ｓ１３１）、Ｓ１３２に進む。ＡＦ動作は、撮影レンズ１０のフォーカス位置をずらしながら指定されたフォーカスエリアの画像のコントラストの度合いを抽出する動作である。
【００５３】
システム制御回路５０は、Ｓ１３１にて合焦判定ＯＫとなったフォーカスエリアのうち、予め決められたアルゴリズムに従って、１のフォーカスエリア選択する。選択された１のフォーカスエリアを合焦枠として指定し、システム制御回路５０の内部メモリ或いはメモリ５２に記憶する（Ｓ１３２）。Ｓ１３２におけるシステム制御回路５０の内部メモリ或いはメモリ５２の記憶は、合焦枠の情報として座標を記憶する。
【００５４】
ここで、Ｓ１３１にて検出された顔に対応する部分をフォーカスエリアとして指定しＡＦ動作を行っている。そのため、システム制御回路５０の内部メモリ或いはメモリ５２に記憶保存される合焦枠は検出された複数の顔のうちの一部の顔に対応する。すなわち、ＡＦ動作を行いユーザが所望する、または所望していると推定される被写体に焦点を合わせている。したがって、被写体情報としての特徴量を記憶するタイミングはＳ１３２でもよい。
【００５５】
なお、すべてのフォーカスエリアで合焦判定ＮＧとなった場合は合焦枠情報はクリアされる。
【００５６】
システム制御回路５０は、Ｓ１３１にて合焦枠に対応する顔の特徴量をシステム制御回路５０の内部メモリ或いはメモリ５２に記憶する（Ｓ１３３）。Ｓ１３４では、Ｓ１２６で記憶した特徴量の中から、合焦した顔の特徴量を取得し、合焦顔情報として別途記憶する。合焦した顔が無かった場合は、合焦顔情報はクリアする。
【００５７】
システム制御回路５０は現在の撮像装置の状態に関する情報をシステム制御回路５０の内部メモリ或いはメモリ５２に記憶する（Ｓ１３４）。このタイミングは、ＡＦ動作を行いユーザが所望する、または所望していると推定される被写体に焦点を合わせたタイミングである。また、ここでの記憶は、例えば、電子ズーム倍率や、ズーム制御部４４から取得したズーム情報（焦点距離、光学ズーム倍率など）をメモリに保存する。
【００５８】
Ｓ１３０で顔が検出されていないと判断された場合は（Ｓ１３１）、Ｓ１３５に進む。なお、Ｓ１１０で顔検出ＯＦＦに設定されていた場合もＳ１３５に進むことになる。システム制御回路５０は、顔検出結果を用いずに予め決められているフォーカスエリアに基づいてＡＦ動作を行う（Ｓ１３５）。そして合焦判定ＯＫとなったフォーカスエリアの中から予め決められたアルゴリズムに従って１つのフォーカスエリアを選択し合焦枠として指定する。そして、合焦枠の情報をシステム制御回路５０の内部メモリ或いはメモリ５２に記憶する（Ｓ１３６）。なお、すべてのフォーカスエリアで合焦判定ＮＧとなった場合は合焦枠情報は保存せずにクリアする。
【００５９】
なお、シャッタースイッチＳＷ２が押されずに（Ｓ１３７）、さらにシャッタースイッチＳＷ１も解除されたならば（Ｓ１３８）、Ｓ１０３に戻る。また、シャッタースイッチＳＷ２が押されずに（Ｓ１３７）、シャッタースイッチＳＷ１が押されていたならば（Ｓ１３８）、Ｓ１３９に進む。
【００６０】
システム制御回路５０は、操作部７０に含まれるＡＦＬボタンが押されたか否かを判断し（Ｓ１３９）、ＡＦＬボタンが押されていなければＳ１３７に戻る。ＡＦＬボタンが押されていたならば（Ｓ１３９）、システム制御回路５０はシステム制御回路５０の内部メモリ或いはメモリ５２に記憶されているＡＦＬフラグを有効にした後（Ｓ１４０）、Ｓ１３７に戻る。
【００６１】
シャッタースイッチＳＷ２が押されたならば（Ｓ１３７）、システム制御回路５０は、次の処理を行う。すなわち、システム制御回路５０は、メモリ３０に撮像して得られた画像データを書き込む露光処理を行う。この処理は、撮像素子１４、Ａ／Ｄ変換器１６、画像処理回路２０、メモリ制御回路２２を介して、或いはＡ／Ｄ変換器から直接メモリ制御回路２２を介して行う。また、システム制御回路５０は、メモリ３０に書き込まれた画像データを読み出して各種処理を行う現像処理からなる撮影処理を行う（Ｓ１４１）。この処理は、メモリ制御回路２２そして必要に応じて画像処理回路２０を用いて行う。具体的には、撮像素子１４から電荷信号を読み出し、Ａ／Ｄ変換器１６、画像処理回路２０、メモリ制御回路２２を介して、メモリ３０に撮影画像のデータを書き込む。または、Ａ／Ｄ変換器１６から直接メモリ制御回路２２を介して、メモリ３０に撮影画像のデータを書き込む。
【００６２】
撮影処理Ｓ１４１を終えたならば、システム制御回路５０は現在（記録のための撮像としての撮影が行われるタイミング）の撮像装置の状態に関する情報をシステム制御回路５０の内部メモリ或いはメモリ５２に記憶する（Ｓ１４２）。このタイミングは、ＡＦ動作を行いユーザが所望する、または所望していると推定される被写体に焦点を合わせたタイミングとは異なる。すなわち、ＡＦ動作を行ったタイミングから異なるので構図が変わっている可能性がある。また、ここで記憶する情報はＳ１３４にて記憶した情報に対応するものである。例えば、電子ズーム倍率や、ズーム制御部４４から取得したズーム情報（焦点距離、光学ズーム倍率など）である。Ｓ１４２では、更にＳ１３４のタイミングからどれだけ撮像装置が動かされたという情報を取得する。これは、たとえば加速度／角速度検知センサ１０８などを利用する。後の再生処理でＡＦ動作のタイミング（Ｓ１３４）と撮影のタイミング（Ｓ１４２）で記憶した情報を比較することで特徴量や合焦枠の変換または補正処理を行う。
【００６３】
撮影タイミングの情報を記憶したならば（Ｓ１４２）、クイックレビュー処理を行う（Ｓ１２７）。このクイックレビュー処理の詳細は図５を用いて後述する。
【００６４】
なお、撮影処理Ｓ１４１を終えてから、現在（記録のための撮像としての撮影が行われるタイミング）の撮像装置の状態に関する情報を記憶する（Ｓ１４２）点に関しては、必ずしもこの順番でなくてもよい。このＳ１４１の処理とＳ１４２の処理とを並行して行ってもよい。また、シャッタスイッチＳＷ２の押下（Ｓ１３７）に応じて、ＳＷ２の押下のタイミングでＳ１４２の処理を開始してもよい。
【００６５】
クイックレビュー表示Ｓ１４３を終えたならば、システム制御回路５０は、メモリ３０に書き込まれた撮影画像データを読み出す。そして、メモリ制御回路２２そして必要に応じて画像処理回路２０を用いて各種画像処理を、また、圧縮・伸長回路３２を用いて設定したモードに応じた画像圧縮処理を行う圧縮処理を行う。その後、インタフェース９０或いは９４、コネクタ９２或いは９６を介して、メモリカードやコンパクトフラッシュ（登録商標）カード等の記録媒体２００或いは２１０へ画像データの書き込みを行う記録処理を実行する（Ｓ１４４）。また、撮影画像のみでなく、次の情報も併せて記録媒体２００或いは２１０へ書き込む。システム制御回路５０の内部メモリ或いはメモリ５２にＳ１３２またはＳ１３６で記憶した合焦枠情報と、Ｓ１３３で記憶した合焦した顔に関する特徴量である。さらに、Ｓ１３４で記憶したＡＦ動作の際の撮像装置の状態に関する情報と、Ｓ１４２で記憶した撮影の際の撮像装置の状態に関する情報も書き込む。
【００６６】
なお、画像表示部２８がＯＮの場合は、記録媒体２００或いは２１０へ画像データの書き込みを行っている間、書き込み動作中であることを明示する例えば「ＢＵＳＹ」のような表示を画像表示部２８に対して行う。
【００６７】
さらに、表示部５４において例えばＬＥＤを点滅させる等の記録媒体書き込み動作表示も併せて行う。
【００６８】
記録処理を終えたならば（Ｓ１４４）、Ｓ１０３に戻る。
【００６９】
図４は、図２のＳ１０６における画像再生処理の詳細なフローチャートを示す。
【００７０】
システム制御回路５０は、シングル再生モードであるかを判断し（Ｓ４０１）、シングル再生モードであった場合はＳ４０３に進む。シングル再生モード／マルチ再生モードの切り換えは操作部７０等を用いて行うことができる。
【００７１】
シングル再生モードでなかった場合は（Ｓ４０１）、再生操作に応じた処理を実行し（Ｓ４０２）、処理を終えたならば画像再生処理ルーチンＳ１０６を終了する。
【００７２】
シングル再生モードの場合は（Ｓ４０１）、システム制御回路５０はピント確認モードであるか否かの判断を行い（Ｓ４０３）、ピント確認モードであればピント確認再生処理Ｓ４０４を実行する。ピント確認モードのＯＮ／ＯＦＦは操作部７０に含まれるボタンにて切り換え、もしくはカメラ設定メニューにて切り換えを行うことが可能である。ピント確認再生処理Ｓ４０４の詳細は図６を用いて後述する。ピント確認再生処理Ｓ４０４を終えたならば画像再生処理ルーチンＳ１０６を終了する。
【００７３】
ピント確認モードでない場合は、再生操作に応じた処理を実行し（Ｓ４０２）、処理を終えたならば画像再生処理ルーチンＳ１０６を終了する。
【００７４】
図５は、図３のＳ１４３におけるクイックレビュー処理の詳細なフローチャートを示す。クイックレビューは、記録のために撮像された直前の画像を撮影者に確認できるように表示する処理である。
【００７５】
システム制御回路５０はクイックレビューモードであるか否かの判断を行い（Ｓ７０１）、クイックレビューを行うモードでなければクイックレビュー処理ルーチンＳ１４３を終了する。クイックレビューモードのＯＮ／ＯＦＦは、操作部７０に含まれるボタンにて切り換え、もしくはカメラ設定メニューにて切り換えを行うことが可能である。
【００７６】
クイックレビューモードであれば（Ｓ７０１）、システム制御回路５０はピント確認モードであるか否かを判断する（Ｓ７０２）。ピント確認モードであればピント確認再生処理Ｓ７０３を行い、処理を終えたならばクイックレビュー処理ルーチンＳ１４３を終了する。ピント確認モードのＯＮ／ＯＦＦは操作部７０に含まれるボタンにて切り換え、もしくはカメラ設定メニューにて切り換えを行うことが可能である。ピント確認再生処理Ｓ７０３の詳細は図６を用いて後述する。
【００７７】
ピント確認モードでない場合は（Ｓ７０２）、システム制御回路５０は画像表示部２８に画像表示メモリ２４に書き込まれている撮影した画像の表示用データを表示し（Ｓ７０４）、Ｓ７０５に進む。
【００７８】
システム制御回路５０は、表示を終了するか否かを判断し（Ｓ７０５）、表示終了しない場合はＳ７０５に戻る。表示を終了するか判断する際には、クイックレビュー時間の経過、操作部７０による表示終了指示の有無等を考慮する。操作部７０等により画像送り指示があった場合も一度表示を終了し、再生画像ファイルを更新する。
【００７９】
表示を終了すると判断された場合には（Ｓ７０５）、画像表示部２８による撮影画像の表示を終了し（Ｓ７０６）、クイックレビュー処理ルーチンＳ１４３を終了する。
【００８０】
図６は、図４のＳ４０４および図５のＳ７０３におけるピント確認再生処理の詳細なフローチャートを示す。Ｓ４０４（再生モード）とＳ７０３（レックレビュー）では用いる情報の記憶されている場所が異なるが、処理の流れは同様であるため同一のフローチャートで説明する。
【００８１】
システム制御回路５０はＳ４０４（再生モード）には画像ファイルに、Ｓ７０３（レックレビュー）にはシステム制御回路５０の内部メモリ或いはメモリ５２に、合焦顔情報が記憶されているか否かを判断する（Ｓ１００１）。合焦顔情報が記憶されていればＳ１００２に進む。合焦顔情報とはＳ１３３でシステム制御回路５０の内部メモリ或いはメモリ５２に、Ｓ１４４でファイルに記憶される合焦した被写体情報としての顔の特徴量である。Ｓ１１０で顔検出がＯＦＦに設定された場合や、顔検出がＯＮの場合でもＳ１３１で合焦した顔が無かった場合は合焦顔情報は記憶されない。
【００８２】
合焦顔情報が記憶されていた場合には（Ｓ１００１）、システム制御回路５０は画像表示メモリ２４に書き込まれている表示用画像データをメモリ制御回路２２を介して画像処理部２０に入力し、顔検出処理を実行する（Ｓ１００２）。Ｓ４０４（再生モード）では、再生対象となるファイル中の画像データを予め表示用画像データとして画像表示メモリ２４に展開してから上記の処理を行う。Ｓ７０３（クイックレビュー）では直前に撮影した画像の表示用データが画像表示メモリ２４に展開されている状態で上記の処理を行う。
【００８３】
顔検出処理を終了したら（Ｓ１００２）、システム制御回路５０はＳ１００２にて顔が検出されたか否かを判断し（Ｓ１００３）、顔が検出されていればＳ１００４に進む。
【００８４】
システム制御回路５０はＳ１００２の顔検出結果から検出された被写体情報としての顔の特徴量を取得する（Ｓ１００４）。得られた特徴量をＡＦ動作の際の撮像装置の状態情報及び記録のための撮像の際の撮像装置の状態情報を用いて変換する（Ｓ１００５）。Ｓ４０４（再生モード）ではＳ１４４にて画像ファイルに付加情報として書き込まれるＡＦ動作の際の状態情報及び撮影の際の状態情報を用いる。一方、Ｓ７０３（レックレビュー時）ではシステム制御回路５０の内部メモリ或いはメモリ５２に記憶されているＡＦ動作の際の状態情報及び撮影の際の状態情報を用いる。
【００８５】
顔の特徴量は、Ｓ１００２において検出された顔が、Ｓ１３１のＡＦ動作において合焦した顔であるか否かの比較判断に用いる。例えばＳ１３１のＡＦ動作の後にズーム倍率や、構図を変えて撮影すると（Ｓ１４１）、同じ顔でもＡＦ動作の際と撮影の際とで顔の大きさ等の特徴量が変化してしまう。したがって、ズーム倍率等の撮像装置１００に関する情報を用いて特徴量を変換し、特徴量が正しく比較できるようにする必要がある。特徴量の変換に用いるＡＦ動作の際の状態情報や撮影の際の状態情報としては、光学ズーム倍率、電子ズーム倍率の他、加速度センサや角速度センサの出力等が挙げられる。
【００８６】
光学ズーム倍率、電子ズーム倍率を用いることで、撮像装置１００のズーム状態に依存する顔の大きさ等の特徴量を利用した比較が可能となる。ＡＦ動作の際から撮影の際までの加速度センサや角速度センサの出力の積分値を用いることで、撮像装置１００が移動や回転した場合にも顔や目の位置を特徴量として用いた比較が可能となる。この場合には加速度／角速度検知部１０８からの出力を利用する。なお、撮像装置１００の状態に依存しない特徴量で顔の比較判断を行える場合はＳ１００５の変換処理は省くことができる。
【００８７】
特徴量の変換を終えたら（Ｓ１００５）、システム制御回路５０はＳ１００２にて検出された顔を、特徴量が焦点を合わせた顔の特徴量に近い順にソートする（Ｓ１００６）。焦点を合わせた顔の特徴量は、Ｓ４０４（再生モード）ではＳ１４４にて画像ファイルに書き込まれており、Ｓ７０３（クイックレビュー）ではシステム制御回路５０の内部メモリ或いはメモリ５２に記憶されている。１回の処理において複数の顔に合焦し、合焦した顔の特徴量が複数存在することも考えられる。この場合、合焦した顔のうち予め決められたアルゴリズムにしたがって選択された１つの顔を合焦顔として指定する。なお、合焦した複数の顔について、以下の処理を繰り返し行ってもよい。
【００８８】
システム制御回路５０は、Ｓ１００２で検出された顔の中から、Ｓ１００６でソートした結果最も特徴量が合焦顔に近かった顔に対応する一部領域を表示する候補として選択しセットする（Ｓ１００７）。
【００８９】
システム制御回路５０は、拡大表示する候補の顔の特徴量と合焦顔の特徴量との差があるしきい値に収まっているか否かを判断する（Ｓ１００８）。
【００９０】
システム制御回路５０は、特徴量の差がしきい値を越える場合には、拡大表示する候補の顔に、合焦顔に最も特徴量が近い顔がセットされているか否かを判断する（Ｓ１００９）。拡大表示する候補の顔が合焦顔に最も特徴量が近い顔であればＳ１０１０に進み、拡大表示する候補の顔が合焦顔に最も特徴量が近い顔でなければＳ１００７に戻る。
【００９１】
システム制御回路５０は画像表示部２８及び表示部５４を用いて警告表示を行う（Ｓ１０１０）。警告表示はＳ１００８によって合焦顔と一致すると考えられる顔が存在しないことをユーザに示すものである。
【００９２】
システム制御回路５０はタイムアウト及び操作部７０による表示終了指示等により表示を終了すべきか否かを判断する（Ｓ１０１１）。表示を終了すべきであればＳ１０１９に進み、表示を終了すべきでなければＳ１０１１に戻る。操作部７０等により画像送り指示があった場合も一度表示を終了し、再生画像ファイルを更新する。
【００９３】
Ｓ１００８において拡大表示する候補の顔の特徴量と、合焦顔の特徴量の差が閾値未満であれば、該当する一部領域を表示する。すなわち、システム制御回路５０は表示候補の顔を表示部２８を用いて拡大表示し（Ｓ１０１２）、Ｓ１０１３に進む。
【００９４】
システム制御回路５０はタイムアウト及び操作部７０による表示終了指示等により表示を終了すべきか否かを判断する（Ｓ１０１３）。表示を終了すべきであればＳ１０１９に進み、表示を終了すべきでなければＳ１０１４に進む。操作部７０等により画像送り指示があった場合も一度表示を終了し、再生画像ファイルを更新する。
【００９５】
システム制御回路５０は操作部７０等により次の顔を表示する旨の指示があったか否かを判断し（Ｓ１０１４）、指示がなければＳ１０１３に戻り、指示があればＳ１０１５に進む。
【００９６】
システム制御回路５０は拡大表示する候補の顔がまだ残っているかを判断し（Ｓ１０１５）、残りの候補が存在すればＳ１０１６に進み、候補の顔をＳ１００６のソート結果における次の顔に更新してＳ１００８に戻り、候補が無ければＳ１００７に戻る。
【００９７】
Ｓ１００１において合焦した顔の情報が記憶されていない場合はＳ１０２０に進む。即ちＳ１３１の顔ＡＦ処理が行われなかった場合及び顔ＡＦ処理（Ｓ１３１）の際に合焦した顔が無かった場合はＳ１０２０に進む。
【００９８】
システム制御回路５０はＳ４０４（再生モード時）では画像ファイルの付加情報に、Ｓ７０３（クイックレビュー時）ではシステム制御回路５０の内部メモリ或いはメモリ５２に合焦枠情報が記憶されているか否かを判断する（Ｓ１０２０）。合焦枠情報があれば画像の合焦枠位置に相当する部分を画像表示部２８を用いて拡大表示する（Ｓ１０２１）。合焦枠情報が無かったら（Ｓ１０２０）、画像の中央部分を画像表示部２８を用いて拡大表示し、Ｓ１０２４に進む。
【００９９】
Ｓ１００３において顔が検出されなかったと判断された場合はＳ１０２３に進み、画像表示部２８及び表示部５４を用いて合焦した顔が再生画像中に存在しない旨の警告表示を行い（Ｓ１０２３）、Ｓ１０２４に進む。
【０１００】
システム制御回路５０はタイムアウト及び操作部７０による表示終了指示等により表示を終了すべきか否かを判断し（Ｓ１０２４）、表示を終了すべきであればＳ１０１９に進み、表示を終了すべきでなければＳ１０２４に戻る。操作部７０等により画像送り指示があった場合も一度表示を終了し、再生画像ファイルを更新する。
【０１０１】
最後にシステム制御回路５０は画像表示部２８及び表示部による表示を終了し（Ｓ１０１９）、ピント確認再生処理ルーチンＳ４０４及びＳ７０３を終了する。
【０１０２】
なお、上記フローにおいては、システム制御回路５０は検出された被写体情報としての顔の特徴量を撮像装置の状態情報を用いて変換した（Ｓ１００５）。この点、次のような技術思想でもよい。すなわち、被写体情報としての特徴量を用いない方法である。これは、たとえば、システム制御回路５０が、ＡＦ動作の際の撮像装置の状態情報と記録のための撮像の際の撮像装置の状態情報との比較に基づいてＳ１０１２で拡大表示するものである。ＡＦ動作の際の撮像装置からズーム倍率が変わった場合には、それに合わせて撮像後の被写体の大きさを予測し、拡大表示する顔領域を選択するものである。同様に、ＡＦ動作の際の撮像装置の位置が変わった場合には、その移動に合わせて撮像後の被写体の位置を予測し、拡大表示する顔領域を選択するものである。ただし、この場合には、上記フローのように被写体情報としての特徴量を利用した技術思想に比較して、拡大画像の適正精度が若干劣る場合がある。
【０１０３】
次に、図９乃至図１２を参照して、本発明の第１の実施例の画面表示例を説明する。
【０１０４】
まず、図２Ｓ１１０にて顔検出をＯＦＦに設定し、通常ＡＦ（図３Ｓ１３５）を行った際の画面表示例を示す。
【０１０５】
ＡＦ処理（図３Ｓ１３５）を行った時点の画像表示部２８の画面表示例を図９に示す。画像表示部２８にＡＦ処理によって合焦した位置に合焦枠５０１が表示される。図９では大きい方の顔にピントが合った結果、合焦枠が表示されている。
【０１０６】
この状態から撮像装置１００の画角（構図）を変えて撮影し、ピント確認再生でなく通常の再生を行った場合（図４Ｓ４０２）、画像表示部２８の表示は図１０のようになる。図９と比較して図１０ではピントを合わせた大きい方の顔が左に移動している。
【０１０７】
ここでピント確認再生を行った場合（図４Ｓ４０４）、図６Ｓ１０２１において画像表示部２８の画面表示は図１２のようになる。画像６２１は、画像ファイルに記録されている撮影画像を表示するもので、ファイル中のデータを圧縮縮小した画像である。領域６２３はフォーカス状態を確認する為にファイル中の画像データから切り出す領域に対応する画像表示部２８上の領域であり、画像ファイルに付加された合焦枠情報を基にシステム制御回路５０によって生成される。画像６２２は、領域６２３に対応するデータを画像データから切り出し、画像表示部２８上に拡大して表示した画像である。この画像６２２の表示により、ユーザーは領域６２３に対応する撮像データが合焦状態にあるものなのかを判断し易くなる。しかし、ＡＦ処理時点で図９のように合焦枠が画像中央付近に存在していたため、再生時にも画像中央付近をそのまま拡大表示してしまうと（図６Ｓ１０２１）、図１２のように合焦した顔とは違った領域が拡大表示されてしまう。図１２における領域６２３及び拡大画像６２２は、撮像装置が合焦処理を行った部分と対応せず、ユーザがピント確認すべき領域ではない。
【０１０８】
次に、図２Ｓ１１０にて顔検出をＯＮに設定し、顔ＡＦ処理（図３Ｓ１３１）を行った場合の画面表示例を示す。
【０１０９】
前記の通常ＡＦ処理を行った場合と同様、顔ＡＦ処理の際（図３Ｓ１３１）の画像表示部２８における画面表示は図９のようになる。また、ピント確認再生ではなく通常の再生を行った場合（図４Ｓ４０２）の画像表示部２８における画面表示は図１０のようになる。
【０１１０】
ここでピント確認再生を行った場合（図４Ｓ４０４）、図６Ｓ１０１２において画像表示部２８には図１１のような画面が表示される。画像５２１は、画像ファイルに記録されている撮影画像を表示するもので、ファイル中のデータを圧縮縮小した画像である。領域５２３はフォーカス状態を確認する為にファイル中の画像データから切り出す領域に対応する画像表示部２８上の領域である。図６のＳ１００２の顔検出処理によって検出された顔の内、顔ＡＦ処理で合焦した顔（図９の大きいほうの顔）に特徴量（例えば顔の大きさ）が一致もしくは十分近いと判断された顔に対応する位置に表示される。画像６２２は、領域６２３に対応するデータを画像データから切り出し、画像表示部２８上に拡大して表示した画像である。この場合は、図９と図１０で合焦した顔の位置が移動している。それでも、画像再生時に図１０の画像に対して顔検出処理（図６Ｓ１００２）を行うことで顔のある位置を正しく拡大表示することが出来る。また、画像中に顔が複数存在しても、顔の大きさ等の特徴量を用いて拡大表示する顔を決定するため、図１１において誤って小さいほうの顔が拡大表示されることも回避することが出来る。
【０１１１】
（実施例２）
第１の実施例では顔検出設定をＯＦＦにした場合には、撮像装置１００が合焦した部分に対応する領域を正しく拡大表示することができない。第２の実施例では顔検出処理を行わない場合に正しく合焦部分を拡大表示することが可能である。図２乃至図５、図８、図７を参照して、本発明の第２の実施例の動作を説明する。
【０１１２】
第２の実施例の撮像装置１００の主ルーチンのフローチャートは図２及図７の通りである。図２のフローについては第１の実施例の図２と同様である。図７は、実施例１の図３に対応する図である。顔検出を行わないため、図３のＳ１２４、Ｓ１２５、Ｓ１２６、Ｓ１３０、およびＳ１３１がない。また、実施例１に対する特徴は、図３のＳ１３３に対する図７のＳ１５０である。
【０１１３】
すなわち、システム制御回路５０はＳ１３６で記憶した合焦枠部分の画像から特徴量を抽出し、システム制御回路５０の内部メモリ或いはメモリ５２に記憶する（Ｓ１５０）。この特徴量は第１の実施例の顔の特徴量に相当する。特徴量として、色、輝度等を利用することが出来る。
【０１１４】
図８は、第２の実施例における、図４のＳ４０４および図５のＳ７０３におけるピント確認再生処理の詳細なフローチャートを示す。Ｓ４０４（再生モード時）とＳ７０３（レックレビュー時）では用いる情報の記憶されている場所が異なるが、処理の流れは同様であるため同一のフローチャートで説明する。
【０１１５】
システム制御回路５０は、Ｓ４０４（再生モード時）では画像ファイルの付加情報として、Ｓ７０３（レックレビュー時）ではシステム制御回路５０の内部メモリ或いはメモリ５２に記憶されている合焦枠情報を用いて変換する（Ｓ１１０１）。また、Ｓ４０４（再生モード時）では画像ファイルの付加情報として、Ｓ７０３（レックレビュー時）ではシステム制御回路５０の内部メモリ或いはメモリ５２に記憶されているＡＦ時情報及び撮影時情報を用いて変換する（Ｓ１１０１）。光学ズーム倍率、電子ズーム倍率に応じて合焦枠サイズを拡大、縮小する処理や、ＡＦ時から撮影時までの撮像装置１００の移動量、回転角度に応じて画像中の合焦枠の位置を移動させる処理を行う。合焦枠の変換処理を終えたら（Ｓ１１０１）、Ｓ１１０２に進む。
【０１１６】
システム制御回路５０は、画像データのＳ１１０１で変換した後の合焦枠に対応する部分から特徴量の抽出を行う（Ｓ１１０２）。特徴量として色や輝度など、Ｓ１５０で記憶した特徴量に対応する情報を求める。合焦枠部分の特徴量を抽出したら（Ｓ１１０２）、Ｓ１１０３に進む。
【０１１７】
システム制御回路５０は、合焦枠部分の特徴量とＳ１１０２で抽出した特長量の差が閾値に収まっているかを判断する（Ｓ１１０３）。合焦枠部分の特徴量は、Ｓ４０４（再生モード時）では画像ファイルの付加情報として、Ｓ７０３（レックレビュー時）ではシステム制御回路５０の内部メモリ或いはメモリ５２に記憶されている。。
【０１１８】
システム制御回路５０は画像表示部２８を用いて画像ファイル中の画像データの内、Ｓ１１０１で変換した後の合焦枠に対応する部分を拡大表示する（Ｓ１１０４）。
【０１１９】
Ｓ１１０３にて特徴量の差が閾値以上であれば、ＡＦ処理時に合焦した部分が撮影された画像中には存在しない旨の警告表示を画像表示部２８及び表示部５４を用いて行い（Ｓ１１０５）、Ｓ１１０６に進む。
【０１２０】
システム制御回路５０はタイムアウト及び操作部７０による表示終了指示等により表示を終了すべきか否かを判断し（Ｓ１１０６）、表示を終了すべきでなければＳ１１０６に戻る。表示を終了すべきであれば画像表示部２８及び表示部５４による表示の終了処理を行い（Ｓ１１０７）、ピント確認処理ルーチンＳ４０４及びＳ７０３を終了する。操作部７０等により画像送り指示があった場合も一度表示を終了し、再生画像ファイルを更新する。
【０１２１】
次に、図９乃至図１２を参照して、本発明の第２の実施例の画面表示例を説明する。
【０１２２】
ＡＦ処理時（図７Ｓ１３５）の画像表示部２８における画面表示、及びピント確認再生ではなく通常の再生を行った場合（図４Ｓ４０２）の画像表示部２８における画面表示は第１の実施例と同じく図９及び図１０のようになる。
【０１２３】
ここでピント確認再生を行った場合（図４Ｓ４０４）、図８Ｓ１１０４において画像表示部２８には図１１のような画面が表示される。画像５２１は、画像ファイルに記録されている撮影画像を表示するもので、ファイル中のデータを圧縮縮小した画像である。領域５２３はフォーカス状態を確認する為にファイル中の画像データから切り出す領域に対応する画像表示部２８上の領域であり、図８Ｓ１１０１の枠変換処理によって得られた変換後の合焦枠位置に表示される。画像６２２は、領域６２３に対応するデータを画像データから切り出し、画像表示部２８上に拡大して表示した画像である。この場合は、図９と図１０で合焦した顔の位置が移動している。それでも、図８Ｓ１１０１における合焦枠変換処理によってＡＦ処理時から撮影時までの撮像装置１００の移動量を用いて合焦枠を左方向に移動することで、図７Ｓ１３５にて合焦した位置を正しく拡大表示することが出来る。
【０１２４】
なお、第２の実施例は顔検出を用いないものとして説明したが、顔検出を利用する第１の実施例と組み合わせて実施することも可能である。すなわち、顔検出設定が有効だった場合には第１の実施例の通りの処理を行い、顔検出設定が無効だった場合に第２の実施例に従った処理を行う。この場合、合焦部分の特徴量及びＡＦ時／撮影時の情報として顔検出時とそれ以外の場合で異なる情報を利用してもよい。例えば、顔検出設定が有効だった場合には、合焦した顔の特徴量として顔の大きさ、顔の位置、目の位置などを、ＡＦ時及び撮影時の撮像装置の状態に関する情報として光学ズーム倍率、電子ズーム倍率を利用する。一方、顔検出設定が無効だった場合には合焦部分の特徴量として色、輝度などを利用してもよい。また、ＡＦ時及び撮影時の撮像装置の状態に関する情報として光学ズーム倍率、電子ズーム倍率、加速度／角速度検知部を利用した移動量及び回転角度を利用してもよい。顔検出をした場合にのみ得られる顔の大きさや位置などの特徴量が、合焦部分を特定する上でより有用である場合に特に有効である。
【０１２５】
記録媒体２００および２１０としては、ＰＣＭＣＩＡカードやコンパクトフラッシュ（登録商標）等のメモリカード、ハードディスク等で構成してもよい。その他、マイクロＤＡＴ、光磁気ディスク、ＣＤ−ＲやＣＤ−ＲＷ等の光ディスク、ＤＶＤ等の相変化型光ディスク等で構成してもよい。
【０１２６】
また、記録媒体２００及び２１０は、メモリカードとハードディスク等が一体となった複合媒体であってもよいし、さらに、その複合媒体から一部が着脱可能な構成であってもよい。
【０１２７】
上記の実施の形態においては、記録媒体２００及び２１０は、撮像装置１００と分離していて任意に接続可能なものとして説明したが、いずれか或いは全ての記録媒体が撮像装置１００に固定されていてもよい。
【０１２８】
また、撮像装置１００に記録媒体２００或いは２１０が、単数或いは複数の任意の個数接続可能な構成であってもよい。
【０１２９】
上記の実施の形態に置いては、撮像装置１００に記録媒体２００及び２１０が装着する構成として説明したが、記録媒体は単数或いは複数の何れの組み合わせの構成であってもよい。
【０１３０】
なお、本発明は、複数の機器から構成されるシステムに適用しても、一つの機器からなる装置に適用してもよい。
【０１３１】
また、本発明の目的は、システム或いは装置のコンピュータ（またはＣＰＵやＭＰＵ）が記憶媒体に格納されたプログラムコードを読み出し実行される。プログラムコートは、前述した実施形態の機能を実現するソフトウェアのコードを記録した記憶媒体（または記録媒体）を、システムあるいは装置に供給されるものである。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでない。たとえば、そのプログラムコードの指示に基づき、コンピュータ上で稼動しているオペレーティングシステム（ＯＳ）などが実際の処理の一部または全部を行い、その処理によって前述した実施形態の機能が実現される場合も含まれる。
【０１３２】
さらに、記憶媒体から読み出されたプログラムコードが、コンピュータに挿入された機能拡張カードやコンピュータに接続された機能拡張ユニットに備わるメモリに書き込む。書きこまれた後、そのプログラムコードの指示に基づき、その機能拡張カードや機能拡張ユニットに備わるＣＰＵなどが実際の処理の一部または全部を行う。その処理によって前述した実施形態の機能が実現される場合も含まれることは言うまでもない。
【０１３３】
なお、本発明は、以上の各実施形態、または、それら技術要素を必要に応じて組み合わせるようにしてもよい。
【０１３４】
また、本発明は、特許請求の範囲、または、実施の形態の構成の全部若しくは一部が、１つの装置を形成するものであっても、他の装置と結合するようなものであっても、装置を構成する要素となるようなものであってもよい。
【図面の簡単な説明】
【０１３５】
【図１】本発明の一実施例の構成ブロック図である。
【図２】本発明の一実施例の主ルーチンのフローチャートの一部である。
【図３】本発明の第一の実施例の主ルーチンのフローチャートの一部である。
【図４】本発明の一実施例の画像再生処理ルーチンのフローチャートである。
【図５】本発明の一実施例のクイックレビュー処理ルーチンのフローチャートである。
【図６】本発明の第一の実施例のピント確認再生処理ルーチンのフローチャートである。
【図７】本発明の第二の実施例の主ルーチンのフローチャートの一部である。
【図８】本発明の第二の実施例のピント確認再生処理ルーチンのフローチャートである。
【図９】本発明の一実施例のＡＦ処理時の表示例である。
【図１０】本発明の一実施例の画像再生処理時の表示例である。
【図１１】本発明の一実施例のピント確認再生処理時の表示例である。
【図１２】本発明の一実施例のピント確認再生処理時の表示例である。
【符号の説明】
【０１３６】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  フォーカス制御手段
４４  ズーム制御手段
４６  バリア制御回路
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  再生モードスイッチ
６８  姿勢モードスイッチ
７０  操作部
７２  電源スイッチ
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  撮像装置
１０２  バリア
１０４  光学ファインダ
１０６  カメラ姿勢検知手段
１０８  加速度／角速度検知手段
１１０  通信手段
１１２  コネクタ（またはアンテナ）
２００  記録媒体
２０２  記録部
２０４  インタフェース
２０６  コネクタ
２１０  記録媒体
２１２  記録部
２１４  インタフェース
２１６  コネクタ
５０１  合焦枠
５２１  画像データ縮小表示
５２２  合焦部拡大表示
５２３  合焦部
６２１  画像データ縮小表示
６２２  合焦部拡大表示
６２３  合焦部
【図１】
2008160427.tif 000003
【図２】
2008160427.tif 000004
【図３】
2008160427.tif 000005
【図４】
2008160427.tif 000006
【図５】
2008160427.tif 000007
【図６】
2008160427.tif 000008
【図７】
2008160427.tif 000009
【図８】
2008160427.tif 000010
【図９】
2008160427.tif 000011
【図１０】
2008160427.tif 000012
【図１１】
2008160427.tif 000013
【図１２】
2008160427.tif 000014